(57)【要約】【課題】  加える力の角度を最適にする。【解決手段】  中央ステム（２）を有する手押し車（１）への連結に適した継手（２０）を有するハンドル（１０）であり、継手（２０）がステム（２）に関するハンドル（１０）の回転を許しつつハンドルを中央ステム（２）に連結する前記ハンドル（１０）である。【選択図】  図２
0003102655.tif 000002
【実用新案登録請求の範囲】
【請求項１】
中央ステム（２）を有する手押し車（１）への連結に適した継手（２０）を有するハンドル（１０）であって、継手（２０）がステム（２）に関するハンドル（１０）の回転を許しつつハンドルを中央ステム（２）に連結する前記ハンドル（１０）。
【請求項２】
継手（２０）が、継手（２０）のケーシング（２４）内で自由回転するハンドル（１０）の円筒状部分（２２）よりなる
請求項１によるハンドル（１０）。
【請求項３】
ハンドル（１０）を、固定用手段（２１）により適宜の回転方向位置に固定できる
請求項１又は２によるハンドル（１０）。
【請求項４】
固定用手段（２１）がバネ負荷式の固定用ピン（２５）及び円筒体（２２）の対応するくぼみ（２３）よりなり、これを例えばレバーにより作動させることができる
請求項３によるハンドル（１０）。
【請求項５】
ハンドル（１０）がプラスチック、アルミニウム又は鋼から作られ、更に好ましくは良好な握り具合、及び好ましくは絶縁を提供する握り面上の塗装を有する請求項１から４によるハンドル（１０）。
【請求項６】
ハンドル（１０）が、閉じられた形状、好ましくは長円形又はＤ字形のような円くされた形状である請求項１から５によるハンドル（１０）。
【請求項７】
ハンドル（１０）が、開かれた形状、好ましくは円くされた形状であり、開口部がステム（２）を通るハンドル（１０）の通過、又はこの逆を許す請求項１から５によるハンドル（１０）。
【請求項８】
請求項１−７のいずれかによるハンドル（１０）を備える手押し車（１）。
【請求項９】
手押し車の中央ステムが入れ子式である請求項８による手押し車（１）。
【考案の詳細な説明】
【技術分野】
【０００１】
本考案は、例えば手押し車に取り付けられた頑丈でかつ快適なハンドルに関する。ハンドルは、ハンドルを使用している人に適するように回すことができる。
【背景技術】
【０００２】
Ｕ字形のハンドルを有し、そのハンドルの外側のＵ字形部品は昇降運動により高さの調節を可能とすることができ、かつ幾つかの位置に固定することのできる乳児用及び小児用の手押し車が既に知られている。この調節は、Ｕ字形部品の各端部を、手押し車の各側で主フレームに、固定用装置を有するヒンジにより取り付けることにより達成される。
【０００３】
この方法に対する問題点は、使用者が、両方の固定用装置を解放し、片方ずつ角度を変え、次いで歩行を続けるより前に再び両方の装置を固定するために、歩行を停止しなければならないことである。実際上、角度は、別の使用者が必要とした場合、又は手押し車を、例えば収納区画内に適合させるように折り畳む必要がある場合にのみ変えるられる。
【０００４】
ハンドルの高さ調節の狙いは、手押し車を押している人の身長に適合させるためであるが、従来技術の解決法においては、使用者と手押し車自体との間の距離にも影響を与える。身長の高い人に合わせられたハンドルのほぼ垂直方向の上方位置のために生ずる問題点は、脚の短い人はその脚と手押し車の車輪又はフレームとが接触することなく適正に歩くことができないことである。
【０００５】
加えて、手押し車を押しているときに加えられる力の角度は、ハンドルの高さを変えたとき、最適になっていない可能性がある。
【０００６】
更に、特許文献１に説明されたような中央主ステムからなるフレームを有する手押し車では、これらのハンドルは使用することができない。
【特許文献１】国際公開第０３／３５４４８号  明細書
【考案の開示】
【課題を解決するための手段】
【０００７】
本考案によるハンドルは、手押し車のフレーム、或いはより好ましくは入れ子式の延長部を有する手押し車の中央ステムのような、ハンドルが取り付けられる対象物の対称面において、ハンドルが回転させ得る継手を有し、かつ対称的に形成されたハンドルより構成される。
【実施例】
【０００８】
図１に示されるように、本考案によるハンドルは、中央ステム２を有する手押し車１へのハンドルとして適している。
【０００９】
ハンドル１０は、フレームに関して種々の角度で回転させることができ、かつ継手２０により中央ステム２に連結される。継手２０は、レバー２１（図５参照）によりハンドルを回転させ、また、例えば図２−４に示され更に図５−７のその他の角度から見られるような種々の希望位置において、これを固定し、解錠することができる。
【００１０】
この実施例においては、継手２０は、図８に示されるように、ケーシング２４を通って走っているハンドル１０の円筒状部分２２よりなり、この円筒体は回転軸まわりに回転することができる。これにより、ハンドル１０は、例えば手押し車のフレームの対称面を通って殆ど３６０゜回転することができる。
【００１１】
円筒状部分２２はくぼみ２３を備えることができ、このくぼみには固定用ピン２５を導入でき、このピンは、例えばレバー２１により好ましくはバネ荷重が加えられ、ハンドル１０をその位置に固定する。
【００１２】
この解決法は、ハンドル１０の多くの種々の高さの位置決めを可能とする。同様に、このハンドルが取り付けられた対象物上に使用者が力を加える角度にハンドル１０を適合させることができる。このハンドルは、特許文献１に説明されるような入れ子式のステムと組み合わせて、正確な高さ及び角度の両者に同時に調節することができる。
【００１３】
この実施例においては、ハンドル１０は、その主アーチの一つの対象中心において継手２０に確保された長円形又はＤ字形のクロスピースを持つ。別の実施例においては、ハンドルは、ハンドル１０が手押し車に関して３６０゜を通して自由に回転できるように、継手と対象的に反対側に開口部又は切取り部を持つことができる。
【００１４】
加えて、ハンドル１０のこの形状のため、使用者は、ハンドルの角度を変えることなしに、ハンドルの固定された位置に従って、垂直方向においてはハンドル１０の異なる２個の異なる高さ位置に（図４及び７）、またほぼ水平方向においてはフレームから２個の異なる距離に（図３及び６）、或いはこれの組合せで（図２及び５）接近することができる。
【００１５】
ハンドルは、例えばプラスチック、アルミニウム又は鋼で作ることができ、更に良好な握り具合、及び絶縁を提供する握り面上の塗装を持つことができる。ハンドルのデザインの広範囲の変更が可能である。
【図面の簡単な説明】
【００１６】
【図１】ハンドルのある手押し車を示す。
【図２】ハンドルの斜視図を示す。
【図３】第２の位置における図２のハンドルの斜視図を示す。
【図４】第３の位置における図２のハンドルの斜視図を示す。
【図５】図２のハンドルの別の図である。
【図６】図３のハンドルの別の図である。
【図７】図４のハンドルの別の図である。
【図８】図１のハンドルを通る断面図を示す。
【符号の説明】
【００１７】
１０  ハンドル
２０  継手
２１  レバー
２２  筒状部分
【図１】
0003102655.tif 000003
【図２】
0003102655.tif 000004
【図３】
0003102655.tif 000005
【図４】
0003102655.tif 000006
【図５】
0003102655.tif 000007
【図６】
0003102655.tif 000008
【図７】
0003102655.tif 000009
【図８】
0003102655.tif 000010